(57)【要約】【課題】簡便な構成でありながら、オーバーフロー部からの管路配置を自由度を高めることにより、オーバーフロー部の下方のスペースを有効利用して装置の小型化を実現する。【解決手段】洗浄装置１は、電気かみそり２のヘッド部２１を受容する受け皿４と、洗浄液を貯留するタンク５と、受け皿４に連通されたオーバーフロー部６と、タンク５内の洗浄液を受け皿４に循環供給するポンプ７とを備える。オーバーフロー部６は、その入口６１から流れ込んだ洗浄液を出口６２に導くための経路を区画形成し、出口６２が本装置の側面方向に向けて延出している。出口６２からの管路を本装置１の側方に渡って配設できるので、オーバーフロー部６と接続される構成部品をオーバーフロー部６下方に設置する必要がなくなり、本装置１の構造上の設計自由度が高まる。【選択図】図２
2010162159.tif 000002
【特許請求の範囲】
【請求項１】
除毛装置のヘッド部を受容する受け皿を有し、前記受け皿に洗浄液を循環供給して前記ヘッド部を洗浄する洗浄装置において、
洗浄液を貯留するタンクと、
前記タンク内の洗浄液を前記受け皿に供給するための供給路と、
前記受け皿の排出口から洗浄液を排出するための排出路と、
前記受け皿に連通された、該受け皿内の洗浄液の水位を一定に保つためのオーバーフロー部と、
前記タンク内の洗浄液を前記供給路を介して前記受け皿に送り込み、前記送り込まれた洗浄液を前記排出路及びオーバーフロー部を介して前記タンクに回収するポンプとを備え、
前記オーバーフロー部は、その入口から流れ込んだ洗浄液を出口に導くための経路を区画形成し、出口が該経路から本装置の側面方向に向けて延出して設けられていることを特徴とする洗浄装置。
【請求項２】
前記オーバーフロー部より形成される経路の底面は、出口側に向かって下方に傾斜していることを特徴とする請求項１に記載の洗浄装置。
【請求項３】
前記オーバーフロー部の入口は、前記出口とは反対側の位置、又は前記出口から離間した位置に配されていることを特徴とする請求項１又は請求項２に記載の洗浄装置。
【請求項４】
前記オーバーフロー部の入口には、洗浄液をオーバーフロー部内に流入し易くする突出部位が設けられていることを特徴とする請求項１乃至請求項３のいずれか一項に記載の洗浄装置。
【発明の詳細な説明】
【技術分野】
【０００１】
本発明は、電気かみそりや脱毛器等の除毛装置を洗浄する洗浄装置に関する。
【背景技術】
【０００２】
従来より、この種の洗浄装置として、電気かみそりのヘッド部を受容する受け皿に洗浄液をポンプにより循環供給してヘッド部を洗浄するものが知られている。ポンプは、ヘッド部の洗浄中、洗浄液を貯留したタンクから洗浄液を受け皿に送り込み、送り込んだ洗浄液を受け皿の排出口からタンクに回収する。また、受け皿内が洗浄液に満たされた状態であっても、ポンプによる洗浄液の給送が継続され、所定の水位を超えた受け皿内の洗浄液は、受け皿に連通されたオーバーフロー部から排出されてタンクへと回収される。
【０００３】
例えば、特許文献１に示される装置においては、受け皿及びオーバーフロー部からのクリーニング液を貯留室で合流させてから容器に排出し、容器に貯留されたクリーニング液をポンプにより受け皿に給送するものとしている。また、その他の形態として、受け皿とタンクとの間に、洗浄液を濾過するフィルタを有した装置もある。
【先行技術文献】
【特許文献】
【０００４】
【特許文献１】特許第３６５２３９３号公報
【発明の概要】
【発明が解決しようとする課題】
【０００５】
ところで、上述のような従来の洗浄装置においては、オーバーフロー部の真下にタンク又はフィルタ等を配設し、オーバーフロー部からの洗浄液を管路を通してタンク又はフィルタ等に流下させて回収するものが多い。そのため、オーバーフロー部の下方に、管路を配設するためのスペースが必要となり、これに伴って構成部品の設置に制約が生じ、装置の小型化が困難であった。また、オーバーフロー部の下方以外のスペースにタンク又はフィルタ等を設置して、オーバーフロー部からの管路を屈曲させて接続した場合、洗浄液がスムーズに排出されない虞がある。また、特許文献１に示されるように、受け皿及びオーバーフロー部から排出される洗浄液を合流させた後に排出する構成では、受け皿の構造が複雑となりコストアップを招来する。
【０００６】
本発明は、上記問題を解決するためになされたものであり、簡便な構成でありながら、オーバーフロー部からの管路配置を自由度を高めることにより、オーバーフロー部の下方のスペースを有効利用して装置の小型化を実現可能な洗浄装置を提供することを目的とする。
【課題を解決するための手段】
【０００７】
上記目的を達成するために請求項１の発明は、除毛装置のヘッド部を受容する受け皿を有し、前記受け皿に洗浄液を循環供給して前記ヘッド部を洗浄する洗浄装置において、洗浄液を貯留するタンクと、前記タンク内の洗浄液を前記受け皿に供給するための供給路と、前記受け皿の排出口から洗浄液を排出するための排出路と、前記受け皿に連通された、該受け皿内の洗浄液の水位を一定に保つためのオーバーフロー部と、前記タンク内の洗浄液を前記供給路を介して前記受け皿に送り込み、前記送り込まれた洗浄液を前記排出路及びオーバーフロー部を介して前記タンクに回収するポンプとを備え、前記オーバーフロー部は、その入口から流れ込んだ洗浄液を出口に導くための経路を区画形成し、出口が該経路から本装置の側面方向に向けて延出して設けられているものである。
【０００８】
請求項２の発明は、請求項１に記載の発明において、前記オーバーフロー部より形成される経路の底面は、出口側に向かって下方に傾斜しているものである。
【０００９】
請求項３の発明は、請求項１又は請求項２に記載の発明において、前記オーバーフロー部の入口は、前記出口とは反対側の位置、又は前記出口から離間した位置に配されているものである。
【００１０】
請求項４の発明は、請求項１乃至請求項３のいずれか一項に記載の発明において、前記オーバーフロー部の入口には、洗浄液をオーバーフロー部内に流入し易くする突出部位が設けられているものである。
【発明の効果】
【００１１】
請求項１の発明によれば、オーバーフロー部の出口からの管路を本装置の側方に渡って配設することができるので、オーバーフロー部と接続される構成部品をオーバーフロー部下方に設置する必要がなくなる。従って、本装置の構造上の設計自由度を高めることができ、装置の小型化を実現できる。
【００１２】
請求項２の発明によれば、オーバーフロー部内に流れ込んだ洗浄液が出口方向にスムーズに流れるので、本装置が比較的傾いた場所に設置された場合であっても、オーバーフロー部から洗浄液を排出できる。
【００１３】
請求項３の発明によれば、オーバーフロー部内に流れ込んだ洗浄液が、淀むことなく安定して出口から排出される。
【００１４】
請求項４の発明によれば、受け皿内の洗浄液の水位がオーバーフロー部のある位置まで達すると、洗浄液が突出部位を伝ってオーバーフロー部内に容易に流入するので、受け皿内の洗浄液の水位を的確に維持できる。
【図面の簡単な説明】
【００１５】
【図１】本発明の一実施形態に係る洗浄装置の斜視図。
【図２】（ａ）は上記洗浄装置の側断面図、（ｂ）は（ａ）のＩ―Ｉ線断面図。
【図３】（ａ）は上記洗浄装置のタンクの正面構成図、（ｂ）は（ａ）のＩＩ−ＩＩ線断面図。
【図４】上記洗浄装置のポンプの断面図。
【図５】上記洗浄装置の開閉弁の側面図。
【図６】上記洗浄装置のオーバーフロー部の斜視図。
【図７】上記オーバーフロー部の断面図。
【図８】上記洗浄装置の洗浄液の流れを示す説明図。
【発明を実施するための形態】
【００１６】
本発明の一実施形態に係る洗浄装置について図面を参照して説明する。図１は洗浄装置１の立体視した構成を示し、図２（ａ）は洗浄装置１の側断面構成を示し、図２（ｂ）は（ａ）におけるＩ―Ｉ断面構成を示す。図１、図２に示すように、洗浄装置１は、除毛装置の一種である電気かみそり２のヘッド部２１を洗浄するものであって、ヘッド部２１を下向きにした電気かみそり２を挿入するための開口３ａを有した筐体３と、開口３ａを通じて挿入されたヘッド部２１を受容する受け皿４とを備える。
【００１７】
また、洗浄装置１は、洗浄液を貯留するタンク５と、受け皿４に連通されたオーバーフロー部６と、タンク５内の洗浄液を受け皿４に循環供給するポンプ７と、洗浄液を濾過するフィルタ８ａを有したカートリッジ８と、タンク５内の気圧を制御するための開閉弁９と、洗浄液を循環するための循環経路とを備える。この循環経路は、タンク５内の洗浄液を受け皿４に供給する経路１０（供給路）と、受け皿４から排出される洗浄液をカートリッジ８に導く経路１１（排出路）と、オーバーフロー部６から排出される洗浄液をカートリッジ８に導く経路１２と、カートリッジ８から排出された洗浄液をポンプ７に導く経路１３と、ポンプ７から送出される洗浄液をタンク５に導く経路１４で構成される。タンク５には、気密経路１５を介して開閉弁９が接続されている。以下、各構成部品について説明する。
【００１８】
筐体３は、その後部に電気かみそり２の把持部２２と当接するスタンド部３１を有し、開口３ａから挿入される電気かみそり２を受け皿４と共に保持する。スタンド部３１の前面には、本装置１に電気かみそり２が装着されたことを検知する接点部材３１ａが設けられている。接点部材３１ａは、把持部２２背面に設けられた端子２２ａとの接触により電気かみそり２の装着を検知するものであり、このような検知機能に併せて、電気かみそり２に各種制御信号や駆動電力を出力する機能を有している。筐体３の前部上方は、洗浄後にヘッド部２１を乾燥させるためのファン１６を収容している。筐体３前面には、ファン１６用の通気窓３２や、洗浄動作を実行するための動作ボタン３３、動作状態を表示するランプ３４等が設けられている。筐体３の後面側は、タンク５を着装する着装部となっており、タンク５の各口５１、５２、５３と連結される連結口３５、３６、３７を有している。連結口３５は経路１０と繋がっており、連結口３６は経路１４と繋がっており、連結口３７は気密経路１５と繋がっている。
【００１９】
受け皿４は、ヘッド部２１の形状に沿うような凹形状とされており、後部壁に経路１０と繋がった供給口４１を、底部壁に経路１１と繋がった排出口４２を有している。受け皿４の底部壁背面側にはヒータ１７が設けられており、ヒータ１７は、ファン１６と連動してヘッド部２１の乾燥を行う。受け皿４の前方にはオーバーフロー部６が設けられており、本実施形態においては受け皿４とオーバーフロー部６とが一体形成されている。オーバーフロー部６は受け皿４内の洗浄液の水位を一定に保つためのものであり、入口６１が受け皿４と繋がっており、出口６２が経路１２と繋がっている。経路１２は、出口６２から受け皿４後部に設けられた中継口４３を介してカートリッジ８に至る。
【００２０】
タンク５は、筐体３後面側に着脱自在に設けられ、吐出口５１、流入口５２、通気口５３を前面に有している。タンク５を筐体３に装着したとき、吐出口５１は、連結口３５に連結されて経路１０により受け皿４の供給口４１と繋がり、流入口５２は、連結口３６に連結されて経路１４によりポンプ７の送出口７１と繋がり、通気口５３は、連結口３７に連結されて気密経路１５により開閉弁９と繋がる。また、吐出口５１、流入口５２、通気口５３は、タンク５内に充填される洗浄液の液面よりも上方に設けられており、通気口５３は、流入口５２及び通気口５３よりも上方に配置されている。タンク５の内部は、図３に示すように、吐出口５１に連通される吐出室５４と、流入口５２及び通気口５３に連通される流入室５５とに仕切部材５６により区画されており、吐出室５４と流入室５５とは充填される洗浄液の液面よりも下方位置で相互に連通されている。タンク５の上面には注ぎ口が設けられ、注ぎ口は着脱自在なキャップ５７により封止される。
【００２１】
カートリッジ８は、フィルタ８ａを内部に収容した略箱状体であり、上面に流入口８１を有し、前面に流出口８２を有している。カートリッジ８は、筐体３下部後方に着脱自在に設けられており、オーバーフロー部６よりも後方に位置している。カートリッジ８を筐体３に装着したとき、流入口８１は、経路１１により排出口４２と繋がると共に経路１２によりオーバーフロー部６の出口と繋がり、流出口８２は、経路１３によりポンプ７の吸入口７２と繋がる。
【００２２】
ポンプ７は、液体及び気体を給送可能なものであり、カートリッジ８側から洗浄液及び空気を経路１３により吸入し、吸入した洗浄液及び空気を経路１４によりタンク５に送出することにより、タンク５と受け皿４との間で洗浄液を循環させる。ポンプ７は、オーバーフロー部６の下方のスペースに設けられている。ポンプ７は、図４に示すように、ダイヤフラム式ポンプで構成され、モータ７３と、モータ７３の出力軸７３ａに係合する偏芯軸７４と、ポンプ室７５を画成するダイヤフラム７６及び弁部７７と、偏芯軸７４とダイヤフラム７６とを連結する連結アーム７８等を有している。モータ７３が回転すると偏芯軸７４が偏心運動し、この偏心運動により連結アーム７８を介してダイヤフラム７６が往復動されるので、吸入口７２から洗浄液及び空気が吸い込まれて送出口７１へと送出される。
【００２３】
開閉弁９は、図５に示すように、ソレノイドバルブで構成され、気密経路１５と繋がった配管９１ａを有した台部９１と、台部９１に固定された電磁石９２と、台部９１に対して回動自在な長尺板状の鉄片９３と、鉄片９３の先端に設けられたシール部材９４とを有している。上記構成により、電磁石９２が通電状態のときには、鉄片９３が電磁石９２に吸着されて配管９１ａの出口がシール部材９４により閉じられ、無通電状態のときには、鉄片９３が自重により電磁石９２から離反して配管９１ａの出口が開かれる。開閉弁９は、タンク５の吐出口５１から洗浄液を吐出させるときには閉状態とされ、それ以外は開状態とされる。
【００２４】
図６、図７を参照してオーバーフロー部６について詳述する。オーバーフロー部６は、入口６１から流れ込んだ洗浄液を出口６２に導くための経路６３を凹形状に区画形成している。出口６２は、経路６３の下方一側部に設けられ、本装置１の側面方向に向けて延出している。出口６２と中継口４３とを接続する管路６４（経路１２）は、チューブ等で構成され、装置１の側方に渡って配設されている。経路６３の底面は、出口６２側に向かって下方に傾斜しており、これによりオーバーフロー部６に流れ込んだ洗浄液は、出口方向にスムーズに流れるようになっている。従い、本装置１が比較的傾いた場所に設置された場合であっても、オーバーフロー部６からの洗浄液が排出されるようになる。
【００２５】
入口６１は、受け皿４の前壁中央部において溝状に切欠形成されており、入口６１と出口６２とは離間した位置関係となっている。そのため、オーバーフロー部６内に流れ込んだ洗浄液が、淀むことなく安定して出口６２から排出される。また、入口６１は、出口６２とは反対側の位置に配されていれば、洗浄液の排出がより安定する。入口６１の略中央部には、洗浄液をオーバーフロー部６内に流入し易くする突出部位６５が設けられており、突出部位６３は上向きに突出した形状とされている。そのため、受け皿４内の洗浄液の水位がオーバーフロー部６のある位置まで達すると、洗浄液が突出部位６３を伝ってオーバーフロー部６内に容易に流入するので、受け皿４内の洗浄液の水位を的確に維持できる。突出部位６３の形状は上記に限られず、例えば、受け皿４側に突出したものであってもよい。
【００２６】
上記のように構成された洗浄装置１の洗浄動作について図８を参照して説明する。図８は洗浄時における洗浄液の流れを模式的に示す。ここでは、洗浄装置１に電気かみそり２が装着され、受け皿４内には洗浄液が無いものとする。動作ボタン３３（図１参照）が押下されると、開閉弁９が閉じられてタンク５内部は気密状態となる。その後、ポンプ７が作動し、経路１３を介してカートリッジ８側から空気を吸入し、吸入した空気を経路１４を介してタンク５の流入室５５内に送出する。送出された空気によって流入室５５内の洗浄液の水面が押し下げられて吐出室５４の水面が上昇し、タンク５内の洗浄液が経路１０を通って受け皿４に送り込まれる。受け皿４に送り込まれる洗浄液の量は、受け皿４の排出口４２から排出される洗浄液の量よりも多くなるよう設定されており、受け皿４内が洗浄液で満たされる。
【００２７】
受け皿４内の洗浄液の水位が所定レベル（例えば、オーバーフロー部６の入口レベル）まで達すると、接点部材３１ａから電気かみそり２に駆動信号が伝送され、ヘッド部２１に内蔵されているモータが駆動する。これにより、ヘッド部２１から毛屑や皮脂等が洗い出される。毛屑や皮脂等を含んだ洗浄液は、排出口４２から経路１１を通ってカートリッジ８に流れ込み、また所定の水位を超えた受け皿４内の洗浄液は、オーバーフロー部６から経路１２を通ってカートリッジ８に流れ込む。カートリッジ８に入った洗浄液は、フィルター８ａで濾過されて毛屑や皮脂等が取り除かれる。ポンプ７は、カートリッジ８から洗浄液を経路１３を介して吸入し、経路１４を介してタンクへと送り込む。この後、ポンプ７による洗浄液の循環が継続して行われる。
【００２８】
ヘッド部２１の洗浄が所定時間行われると、接点部材３１ａから電気かみそり２に停止信号が伝送され、ヘッド部２１内蔵のモータが停止する。併せて、開閉弁９が開かれてポンプ７内部は大気開放状態となる。これにより、流入室５５内の洗浄液の液面が上昇して吐出室５４の液面は低下し、受け皿４への洗浄液の供給が停止される。ポンプ７はその後も洗浄液の給送を継続し、受け皿４内の洗浄液をタンク５に回収する。受け皿４内に洗浄液が無くなるとポンプ７が停止し、その後にファン１６及びヒータ１７が作動してヘッド部２１の乾燥が行われる。
【００２９】
以上、本実施形態に係る洗浄装置１によれば、オーバーフロー部６の出口６２が本装置１の側面方向に向けて延出しているので、出口６２からの管路を装置の側方に渡って配設することができ、オーバーフロー部６と接続される構成部品をオーバーフロー部６下方に設置する必要がなくなる。従って、本装置１の構造上の設計自由度が高まり、オーバーフロー部６の下方のスペースにポンプ７等の設置が可能となり、装置の小型化を実現できる。
【００３０】
なお、本発明は、上記実施形態の構成に限られず、発明の趣旨を変更しない範囲で種々の変形が可能である。例えば、受け皿４とポンプ７の間にカートリッジ８が設けられていないものであってもよい。また、受け皿４とポンプ７との間に、タンク５を有する装置構成であってもよい。
【符号の説明】
【００３１】
１  洗浄装置
２  電気かみそり（除毛装置）
２１  ヘッド部
４  受け皿
４２  排出口
５  タンク
６  オーバーフロー部
６１  入口
６２  出口
６３  経路
６５  突出部位
７  ポンプ
１０  経路（供給路）
１１  経路（排出路）
【図１】
2010162159.tif 000003
【図２】
2010162159.tif 000004
【図３】
2010162159.tif 000005
【図４】
2010162159.tif 000006
【図５】
2010162159.tif 000007
【図６】
2010162159.tif 000008
【図７】
2010162159.tif 000009
【図８】
2010162159.tif 000010